(57)【要約】【課題】  受講者が集中力やモチベーションを常に高く保つことができ、学習効果を高める。【解決手段】  本発明に係るイーラーニングシステムは、受講者に関する各種情報を格納する受講者管理ファイル１５と、受講者情報ファイル１５に格納された受講者の認証情報に基づき、ウェブサーバにアクセスする受講者の認証を行う受講者認証手段２１と、それぞれが５分から１０分程度で完結する複数のモジュールにより構成される教材コンテンツを格納する教材ファイル１９と、受講者認証手段２１により受講者の認証を行った後、受講者管理ファイル１５に格納された受講者の受講情報に基づき、教材ファイル１９の教材コンテンツから一つのモジュールを選択し、前記受講者に提供する教材コンテンツ処理手段２３とを備えていることを特徴とする。【選択図】  図１
2006189558.tif 000002
【特許請求の範囲】
【請求項１】
情報通信ネットワークを介して受講者端末と教材コンテンツを格納するウェブサーバとが相互に接続された環境下において、受講者に前記教材コンテンツを提供可能なように構成されたイーラーニングシステムであって、前記ウェブサーバは、
前記受講者に関する各種情報を格納する受講者管理ファイルと、
該受講者管理ファイルに格納された受講者の認証情報に基づき、前記ウェブサーバにアクセスする受講者の認証を行う受講者認証手段と、
それぞれが５分から１０分程度で完結する複数のモジュールにより構成される教材コンテンツを格納する教材ファイルと、
前記受講者認証手段により受講者の認証を行った後、前記受講者管理ファイルに格納された受講者の受講情報に基づき、前記教材ファイルの教材コンテンツから一つのモジュールを選択し、前記受講者に提供する教材コンテンツ処理手段と、
を備えていることを特徴とするイーラーニングシステム。
【請求項２】
情報通信ネットワークを介して講師端末と教材コンテンツを格納するウェブサーバとが相互に接続された環境下において、講師が前記教材コンテンツを作成可能なように構成されたイーラーニングシステムであって、前記ウェブサーバは、
前記講師に関する各種情報を格納する講師管理ファイルと、
該講師管理ファイルに格納された講師の認証情報に基づき、前記ウェブサーバにアクセスする講師の認証を行う講師認証手段と、
５分から１０分程度で完結する教材コンテンツを入力可能なように構成されたモジュールテンプレートを格納する教材テンプレートファイルと、
前記講師認証手段により講師の認証を行った後、前記講師管理ファイルに格納された講師の教材作成情報に基づき、前記教材テンプレートファイルから一つのモジュールテンプレートを選択し、前記講師に提供する教材テンプレート処理手段と、
を備えていることを特徴とするイーラーニングシステム。
【請求項３】
情報通信ネットワークを介して受講者端末と教材コンテンツを格納するウェブサーバとが相互に接続された環境下において、受講者に前記教材コンテンツを提供するためのイーラーニング方法であって、
前記受講者に関する各種情報を受講者管理ファイルに格納するステップと、
前記受講者管理ファイルに格納された受講者の認証情報に基づき、前記ウェブサーバにアクセスする受講者の認証を行うステップと、
それぞれが５分から１０分程度で完結する複数のモジュールにより構成される教材コンテンツを教材ファイルに格納するステップと、
前記受講者の認証を行った後、前記受講者管理ファイルに格納された受講者の受講情報に基づき、前記教材ファイルからの教材コンテンツから一つのモジュールを選択し、提供するステップと、
を含んでいることを特徴とするイーラーニング方法。
【請求項４】
情報通信ネットワークを介して講師端末と教材コンテンツを格納するウェブサーバとが相互に接続された環境下において、講師が前記教材コンテンツを提供するためのイーラーニング方法であって、
前記講師に関する各種情報を講師管理ファイルに格納するステップと、
前記講師管理ファイルに格納された講師の認証情報に基づき、前記ウェブサーバにアクセスする講師の認証を行うステップと、
５分から１０分程度で完結する教材コンテンツを入力可能なように構成されたモジュールテンプレートを教材テンプレートファイルに格納するステップと、
前記講師の認証を行った後、前記講師管理ファイルに格納された講師の教材提供情報に基づき、前記教材テンプレートファイルから一つのモジュールテンプレートを選択し、前記講師に提供するステップと、
を含んでいることを特徴とするイーラーニング方法。
【請求項５】
請求項３又は請求項４に記載の各ステップをコンピュータに実行させるためのイーラーニングプログラム。
【請求項６】
請求項５に記載のイーラーニングプログラムを記憶したコンピュータ読み取り可能な記憶媒体。
【発明の詳細な説明】
【技術分野】
【０００１】
本発明は、情報通信ネットワークを介して受講者端末、講師端末、及びウェブサーバが相互に接続された環境下において、受講者に教材コンテンツを提供したり、講師が教材コンテンツを作成したりすることができるイーラーニングシステム及びその方法、並びにイーラーニングプログラム及びそのプログラムを記憶した記憶媒体に関する。
【背景技術】
【０００２】
近年、インターネット等の情報通信ネットワークを介して教材コンテンツを提供する教育システム、いわゆるイーラーニングシステムが提案され、実用化されている。
【０００３】
この種の従来のイーラーニングシステム及びその方法は、講師がビデオなどを使って作成したコンテンツをウェブサーバに格納する一方、受講者はインターネット等の情報通信ネットワークを介してこのウェブサーバにアクセスし、ビデオを見て学習するというように単に教室授業の内容をデジタルコンテンツ化するものや、教室で行っている授業を情報通信ネットワークを介して遠隔地にインテラクティブに配信し、教室授業を中継するもの、或いは、教室で学習した内容の一部、例えばテストの解答及び解説を情報通信ネットワークを介して行うもの等であった。
【特許文献１】特開２００３−１７３１３１号公報
【発明の開示】
【発明が解決しようとする課題】
【０００４】
上記したように、従来のイーラーニングシステム及びその方法は、単にテレビ番組を視聴するのと同じようなものであったため、受講者の集中力やモチベーションを常に高く保つことが難しく、学習効果を十分に発揮できないといった問題があった。
【０００５】
本発明は、上記した課題を解決すべくなされたものであり、受講者が受講開始から受講終了まで集中力やモチベーションを常に高く保つことができ、学習効果を高めることのできるイーラーニングシステム及びその方法を提供しようとするものである。
【課題を解決するための手段】
【０００６】
本発明は、情報通信ネットワークを介して受講者端末と教材コンテンツを格納するウェブサーバとが相互に接続された環境下において、受講者に前記教材コンテンツを提供可能なように構成されたイーラーニングシステムであって、前記ウェブサーバは、前記受講者に関する各種情報を格納する受講者管理ファイルと、該受講者管理ファイルに格納された受講者の認証情報に基づき、前記ウェブサーバにアクセスする受講者の認証を行う受講者認証手段と、それぞれが５分から１０分程度で完結する複数のモジュールにより構成される教材コンテンツを格納する教材ファイルと、前記受講者認証手段により受講者の認証を行った後、前記受講者管理ファイルに格納された受講者の受講情報に基づき、前記教材ファイルの教材コンテンツから一つのモジュールを選択し、前記受講者に提供する教材コンテンツ処理手段とを備えていることを特徴とする。
【０００７】
また、本発明は、情報通信ネットワークを介して講師端末と教材コンテンツを格納するウェブサーバとが相互に接続された環境下において、講師が前記教材コンテンツを作成可能なように構成されたイーラーニングシステムであって、前記ウェブサーバは、前記講師に関する各種情報を格納する講師管理ファイルと、該講師管理ファイルに格納された講師の認証情報に基づき、前記ウェブサーバにアクセスする講師の認証を行う講師認証手段と、５分から１０分程度で完結する教材コンテンツを入力可能なように構成されたモジュールテンプレートを格納する教材テンプレートファイルと、前記講師認証手段により講師の認証を行った後、前記講師管理ファイルに格納された講師の教材作成情報に基づき、前記教材テンプレートファイルから一つのモジュールテンプレートを選択し、前記講師に提供する教材テンプレート処理手段とを備えていることを特徴とする。
【０００８】
さらに、本発明は、情報通信ネットワークを介して受講者端末と教材コンテンツを格納するウェブサーバとが相互に接続された環境下において、受講者に前記教材コンテンツを提供するためのイーラーニング方法であって、前記受講者に関する各種情報を受講者管理ファイルに格納するステップと、前記受講者管理ファイルに格納された受講者の認証情報に基づき、前記ウェブサーバにアクセスする受講者の認証を行うステップと、それぞれが５分から１０分程度で完結する複数のモジュールにより構成される教材コンテンツを教材ファイルに格納するステップと、前記受講者の認証を行った後、前記受講者管理ファイルに格納された受講者の受講情報に基づき、前記教材ファイルからの教材コンテンツから一つのモジュールを選択し、提供するステップとを含んでいることを特徴とする。
【０００９】
さらにまた、本発明は、情報通信ネットワークを介して講師端末と教材コンテンツを格納するウェブサーバとが相互に接続された環境下において、講師が前記教材コンテンツを提供するためのイーラーニング方法であって、前記講師に関する各種情報を講師管理ファイルに格納するステップと、前記講師管理ファイルに格納された講師の認証情報に基づき、前記ウェブサーバにアクセスする講師の認証を行うステップと、５分から１０分程度で完結する教材コンテンツを入力可能なように構成されたモジュールテンプレートを教材テンプレートファイルに格納するステップと、前記講師の認証を行った後、前記講師管理ファイルに格納された講師の教材提供情報に基づき、前記教材テンプレートファイルから一つのモジュールテンプレートを選択し、前記講師に提供するステップとを含んでいることを特徴とする。
【００１０】
さらに、本発明は、上記記載の各ステップをコンピュータに実行させるためのイーラーニングプログラムであり、また、このイーラーニングプログラムを記憶したコンピュータ読み取り可能な記憶媒体である。
【発明の効果】
【００１１】
本発明によれば、提供される教材コンテンツが５分から１０分程度で完結するように構成されているため、受講者の集中力やモチベーションを常に高く保つことができ、学習効果を十分に発揮することができる等、種々の優れた効果を得ることができる。
【発明を実施するための最良の形態】
【００１２】
以下、図面を参照しつつ、本発明の実施の形態について説明する。なお、本実施の形態においては、情報通信ネットワークとしてインターネットを利用した場合について説明する。
【００１３】
先ず、図１〜図４を参照しつつ、本発明の実施の形態に係るイーラーニングシステムの構成について説明する。ここで、図１は本発明の実施の形態に係るイーラーニングシステムの全体構成を示す機能ブロック図、図２はイーラーニングシステムにおけるウェブサーバの全体構成を示す機能ブロック図、図３及び図４はそれぞれ教材コンテンツの構成を示すブロック図である。
【００１４】
本実施の形態に係るイーラーニングシステムは、イーラーニング装置となるウェブサーバ１と、複数の受講者端末２や講師端末３から構成されるクライアント端末４とがインターネット５を介して相互に接続された環境下において、受講者に教材コンテンツを提供したり、講師が教材コンテンツを作成したりすることができるように構成されている。
【００１５】
ウェブサーバ１は、ハードディスク６と、ＣＰＵ（Central
Processing Unit）７と、メモリ８と、通信部９と、補助記憶媒体ドライブ１０と、ディスプレイ１１と、入力装置１２とを備え、イーラーニングプログラムを格納したＣＤ−ＲＯＭ等の記憶媒体を補助記憶媒体ドライブ１０に挿入し、ハードディスク６にインストールすることにより、イーラーニング装置になるようになっている。
【００１６】
イーラーニング装置（ウェブサーバ）１は、受講者の認証情報ファイル１３や学習履歴ファイル１４を含む受講者管理ファイル１５と、講師の認証情報ファイル１６や教材作成履歴ファイル１７を含む講師管理ファイル１８と、教材コンテンツを格納する教材ファイル１９と、教材コンテンツを作成するためのモジュールテンプレートを格納する教材テンプレートファイル２０と、受講者の認証を行う受講者認証部２１と、講師の認証を行う講師認証部２２と、受講者に教材コンテンツを提供するための処理などを行う教材コンテンツ処理部２３と、講師に教材テンプレートを提供するための処理などを行う教材テンプレート処理部２４と、受講者の受講履歴等を管理する受講管理部２５と、講師が出題するテスト問題及びそれに対する受講者の解答等を管理するテスト管理部２６とを主体に構成されている。
【００１７】
受講者管理ファイル１５の認証情報ファイル１３には、受講者の認証ＩＤや受講者名などの認証情報が格納されており、学習履歴ファイル１４には、受講者が過去に受講した教材コンテンツの名称、時期、テストの結果などが格納されている。
【００１８】
また、講師管理ファイル１８の認証情報ファイル１６には、講師の認証ＩＤや講師名などの認証情報が格納されており、教材作成履歴ファイル１４には、講師が過去に作成した教材コンテンツの名称、時期などが格納されている。
【００１９】
教材ファイル１９には、動画及び音声が収録された所定単位数分の教材コンテンツが格納されており、それぞれ１単位分の教材コンテンツは、図３に示すように、複数（図３では３個）のモジュール群Ａ，Ｂ，Ｃから構成されている。さらに、各モジュール群Ａ，Ｂ，Ｃはそれぞれ、複数のモジュールＡ１，Ａ２，Ａ３，Ｂ１，Ｂ２，Ｂ３，Ｃ１，Ｃ２，Ｃ３から構成され、学習難易度の低い下位モジュールＡ１，Ｂ１，Ｃ１から学習難易度の高い中位モジュールＡ２，Ｂ２，Ｃ２、そして上位モジュールＡ３，Ｂ３，Ｃ３へと段階的に学習できるようになっている。なお、本実施の形態の場合、モジュール群Ａは講義用の教材コンテンツモジュールから構成され、モジュール群Ｂはテスト問題用の教材コンテンツモジュールから構成され、モジュール群Ｃは解答用の教材コンテンツモジュールから構成されている。
【００２０】
また、図４に示すように、各モジュール（図４ではＡ１，Ｂ１，Ｃ１のみ示している。）はそれぞれ、さらに、学習難易度に応じて、複数のサブモジュールａ１，ａ２，ａ３，ａ４，b１，b２，ｂ３，ｂ４，ｃ１，ｃ２，ｃ３，ｃ４に分割されており、学習難易度の低いサブモジュールａ１，ｂ１，ｃ１から学習難易度の高いサブモジュールａ２，ｂ２，ｃ２、ａ３，ｂ３，ｃ３へと段階的に学習できるようになっている。
【００２１】
出願人が行った研究によると、イーラーニングにおいて、受講者の集中力やモチベーションを常に高く保つためには、１回の受講時間を５〜１０分程度に設定するのが最も効果的であることが分かったため、個々のサブモジュールａ１，ａ２，ａ３，ａ４，b１，b２，ｂ３，ｂ４，ｃ１，ｃ２，ｃ３，ｃ４の受講時間は、５〜１０分の範囲内で、講師が任意に設定できるようになっている。
【００２２】
また、教材テンプレートファイル２０には、教材コンテンツの最小構成単位であるサブモジュールａ１，ａ２，ａ３，ａ４，b１，b２，ｂ３，ｂ４，ｃ１，ｃ２，ｃ３，ｃ４の受講時間が５〜１０分の範囲内に収まるように設定された複数のタイプのモジュールテンプレートが格納されている。具体的には、講師がサブモジュールａ１，ａ２，ａ３，ａ４に講義用の教材コンテンツを入力する場合とサブモジュールｃ１，ｃ２，ｃ３，ｃ４に解答用の教材コンテンツを入力する場合に使用されるモジュールテンプレートは、受講管理部２５により入力文字数を所定範囲に制限可能なように構成されており、また、講師がモジュールb１，b２，ｂ３，ｂ４にテスト問題用の教材コンテンツを入力する場合に使用されるモジュールテンプレートは、受講管理部２５によりテスト問題の出題数を所定範囲内に制限可能なように構成されている。
【００２３】
次に、主に図５〜図７を参照しつつ、講師が教材コンテンツを作成する手順について説明する。なお、以下の説明では、講師がテスト問題用の教材コンテンツを作成する場合について説明する。ここで、図５は講師が教材コンテンツを作成する手順を示すフローチャート、図６は講師が講義用の教材コンテンツを入力する時に講師端末側に表示される画面を示す図、図７は講師がテスト問題用の教材コンテンツを入力する時に講師端末側に表示される画面を示す図である。
【００２４】
講師が講師端末３から認証ＩＤを入力し、インターネット５を介してウェブサーバ１にアクセスする（ステップ１０１）と、ウェブサーバ１において、通信部９がその認証ＩＤを受信し、講師認証部２２は、その受信した認証ＩＤと講師管理ファイル１８の認証情報ファイル１６に格納された認証ＩＤとを比較し、講師がイーラーニング装置を利用する権限を有するかどうかについて認証を行う（ステップ１０２）。
【００２５】
講師がイーラーニング装置を利用する権限を有すると講師認証部２２が認証した場合、教材テンプレート処理部２４は、講師管理ファイル１８の教材作成履歴ファイル１７においてその講師の教材作成履歴を確認し、教材テンプレートファイル２０からその講師の教材作成履歴に従ってテスト問題用のモジュールテンプレートを選択し、インターネット５経由で講師端末３に送信する（ステップ１０３）。講師端末３上には図７に示すようにテスト問題用のモジュールテンプレートが表示され（ステップ１０４）、受講者はその表示画面を見ながら、テスト問題用の教材コンテンツを入力し（ステップ１０５）、再度、インターネット５を介してその教材コンテンツを入力したモジュールテンプレートをウェブサーバ１に送信する（ステップ１０６）。この時、モジュールテンプレートへ入力できる出題数は、図７に示すように、受講管理部２５により所定範囲に制限されるため、このモジュールテンプレートに入力されるテスト問題の解答時間は５〜１０分の範囲に設定することができる。
【００２６】
次に、ウェブサーバ１においては、通信部９を介してその教材コンテンツを入力したモジュールテンプレートを受信し（ステップ１０７）、教材コンテンツ処理部２３が、その入力内容に入力漏れ等の誤りがないかどうかをチェックし、入力内容に誤りがないと判断した場合には、その教材コンテンツを教材ファイル１９の所定箇所に保存すると共に教材作成の履歴を講師管理ファイル１８の教材作成履歴ファイル１７の所定箇所に記録、保存する（ステップ１０８）。
【００２７】
一方、教材コンテンツ処理部２３が、モジュールテンプレートの入力内容に誤りがあると判断した場合には、エラーメッセージを講師端末３側に送信し、講師に入力の誤りを訂正させ、その入力内容に誤りがなくなるまで、その動作を繰り返す。
【００２８】
なお、上記説明においては、講師がテスト問題用の教材コンテンツを作成する場合について説明したが、講師が講義用の教材コンテンツを入力する場合や解答用の教材コンテンツを入力する場合にも上記した手順と同様の手順で行われる。そしてこの時、モジュールテンプレートへ入力できる文字数は、図６に示すように、受講管理部２５により所定範囲に制限されるため、このモジュールテンプレートに入力される教材コンテンツの受講時間は５〜１０分の範囲に設定される。
【００２９】
次に、主に図８及び図９を参照しつつ、受講者が受講する手順について説明する。ここで、図８は受講者が受講する手順を示すフローチャート、図９は受講者がテスト問題に解答する時に受講者端末側に表示される画面を示す図である。
【００３０】
受講者が受講者端末２から認証ＩＤを入力し、インターネット５を介してウェブサーバ１にアクセスする（ステップ２０１）と、ウェブサーバ１において、通信部９がその認証ＩＤを受信し、受講者認証部２１は、その受信した認証ＩＤと受講者管理ファイル１５の認証情報ファイル１３に格納された認証ＩＤとを比較し、受講者がイーラーニング装置を利用する権限を有するかどうかについて認証を行う（ステップ２０２）。
【００３１】
受講者がイーラーニング装置を利用する権限を有すると受講者認証部２１が認証した場合、教材コンテンツ処理部２３は、受講者管理ファイル１５の学習履歴ファイル１４においてその受講者の学習履歴を確認し（ステップ２０３）、教材ファイル１９からその受講者の学習履歴に従って一つのサブモジュールａ１を選択し（ステップ２０４）、インターネット５経由で受講者端末２に送信する。受講者端末２上においては、サブモジュールａ１の教材コンテンツは、動画及び音声により再生され、受講者は、そのサブモジュールａ１の教材コンテンツを視聴し、受講する（ステップ２０５）。
【００３２】
次に、受講管理部２５は、受講者がそのサブモジュールａ１の教材コンテンツの受講を終了したかどうかを判断し（ステップ２０６）、終了したと判断した場合には、教材コンテンツ処理部２３は、サブモジュールａ１の教材コンテンツの学習度合いを確認するため、テスト問題用のサブモジュールｂ１をインターネット５経由で受講者端末２に送信する。受講者端末２上には図９に示すように解答画面が表示され、受講者はその表示画面を見ながら、解答を入力する（ステップ２０７）。この時、受講者がテスト問題の解答を入力する時間はテスト管理部２５の時間制御プログラムにより管理され（ステップ２０８）、制限時間が経過すると、その解答はインターネット５経由でウェブサーバ２に自動送信される（ステップ２０９）。
【００３３】
このように、受講者により解答が送信されると、次いで、テスト管理部２６は、自動採点を行い（ステップ２１０）、その採点結果を評価や解説と共にサブモジュールｃ１として、インターネット５を介して受講者端末２に送信する。受講者は、受講者端末２上において、その送信されたサブモジュールｃ１を視聴し（ステップ２１１）、その視聴完了後、所定の完了メッセージをインターネット５経由でウェブサーバ１に送信する。ウェブサーバ１の受講管理部２５は、通信部９経由でこの完了メッセージを受信した後、学習履歴ファイル１４の学習履歴を更新し、保存する（ステップ２１２）。
【００３４】
一方、ステップ２０６において、受講者がそのサブモジュールａ１の教材コンテンツの受講を終了していないと受講管理部２５が判断した場合には、教材コンテンツ処理部２３は、その旨を、学習履歴ファイル１４に記録、保存し（ステップ２１３）、終了する。
【００３５】
以降、他のサブモジュールの教材コンテンツについての受講動作も上記した手順と同様の手順で行われ、すべてのサブモジュールの教材コンテンツの受講が完了した場合、受講管理部２５は、１単位分の教材コンテンツが完了した証明書を発行し、インターネット５を介して、受講者端末２に送信する。
【００３６】
なお、上記した受講者の受講手順は、単なる一例に過ぎず、各種変更が可能であり、例えば、制限時間を管理しながら、テスト問題に対する解答の回収を設問ごとに繰り返し行い、解答の評価において、解答の正誤だけでなく、解答に要した時間も評価尺度として利用することができる。
【００３７】
また、受講者の解答や評価などの情報は、受講者管理ファイル１５の学習履歴ファイル１４にその都度、更新及び保存されるため、講師はこれらの情報にアクセスすることにより、受講者ごとの解答の正解率や解答時間の時系列変化を把握することができ、教材コンテンツの改訂などに有効に活用することができるようになる。
【００３８】
さらに、受講者は、学習履歴ファイル１４にアクセスし、自分の学習履歴を参照することにより、自分の不得意分野を集中的に復習するなど、効率的な学習を行うことができるようになる。
【００３９】
なお、上記した実施の形態においては、インターネット環境下での実施について説明したが、これは単なる例示に過ぎず、本発明は、小規模ＬＡＮ等、他の情報通信ネットワーク環境下においても実施可能であることは言う迄もない。
【図面の簡単な説明】
【００４０】
【図１】本発明の実施の形態に係るイーラーニングシステムの全体構成を示す機能ブロック図である。
【図２】本発明の実施の形態に係るイーラーニングシステムにおけるウェブサーバの全体構成を示す機能ブロック図である。
【図３】本発明の実施の形態に係るイーラーニングシステムにおける教材コンテンツの構成を示すブロック図である。
【図４】本発明の実施の形態に係るイーラーニングシステムにおける教材コンテンツの構成を示すブロック図である。
【図５】本発明の実施の形態に係るイーラーニングシステムにおいて講師が教材コンテンツを作成する手順を示すフローチャートである。
【図６】本発明の実施の形態に係るイーラーニングシステムにおいて講師が講義用の教材コンテンツを入力する時に講師端末側に表示される画面を示す図である。
【図７】本発明の実施の形態に係るイーラーニングシステムにおいて講師がテスト問題用の教材コンテンツを入力する時に講師端末側に表示される画面を示す図である。
【図８】本発明の実施の形態に係るイーラーニングシステムにおいて受講者が受講する手順を示すフローチャートである。
【図９】本発明の実施の形態に係るイーラーニングシステムにおいて受講者がテスト問題に解答する時に受講者端末側に表示される画面を示す図である。
【符号の説明】
【００４１】
１          ウェブサーバ
２          受講者端末
３          講師端末
５          インターネット
１５        受講者管理ファイル
１８        講師管理ファイル
１９        教材ファイル
２０        教材テンプレートファイル
２１        受講者認証部
２２        講師認証部
２３        教材コンテンツ処理部
２４        教材テンプレート処理部
【図１】
2006189558.tif 000003
【図２】
2006189558.tif 000004
【図３】
2006189558.tif 000005
【図４】
2006189558.tif 000006
【図５】
2006189558.tif 000007
【図６】
2006189558.tif 000008
【図７】
2006189558.tif 000009
【図８】
2006189558.tif 000010
【図９】
2006189558.tif 000011